(57)【要約】【課題】マガジン内に残された１本の釘が、装填操作によって射出口内で逆向きになってしまうことによる釘詰まりやドライバ及びノーズ部の破損等を防止する。【解決手段】直状に連結された連結釘を収容する直鞘状のマガジンをノーズ部に連接して設け、マガジンからノーズ部に形成し射出口内へ連結釘を供給しドライバにより射出口から打ち出すようにした釘打機において、前記マガジンから釘射出口へ釘を誘導する供給ガイド面上に磁石を配置し、磁石により射出口内に残った釘軸の先端側部分がマガジン内へ進入するのを阻止させるように釘軸の長さの中心から先端側の釘軸部を吸着保持させるようにしたことを特徴とする。【選択図】　　　図１
2004017219.tif 000002
【特許請求の範囲】
【請求項１】
圧縮空気等により駆動されるドライバを摺動自在に案内する射出口が形成されたノーズ部と、連結帯により直状に連結された連結釘を収容する直鞘状のマガジンを前記ノーズ部に連接して設け、該マガジン内の連結釘をノーズ部に形成した開口を経由してノーズ部の射出口内へ供給し、射出口内に供給された釘を前記ドライバにより射出口から打ち出すようにした釘打機において、前記ノーズ部の釘射出口とマガジン内とを連続させる開口に沿って形成された供給ガイド面上に磁石を配置し、該磁石により射出口内に残った釘の釘軸部側を吸着保持させて、釘軸の先端側部分がマガジン内へ進入するのを阻止させるようにしたことを特徴とする釘打機における釘の傾倒防止機構。
【発明の詳細な説明】
【０００１】
【発明の属する技術分野】
本発明は、プラスチック材や紙片により釘軸部を互いに連結した直状の連結釘を直鞘状に形成したマガジンに装填し、圧縮空気等により駆動されるドライバを摺動自在に案内している射出口内へ前記マガジン内の連結釘を順次押圧供給して、射出口内に供給された先頭の釘を前記ドライバにより射出口から打ち出すようにした釘打機における釘の傾倒防止機構に関する。
【０００２】
【従来の技術】
圧縮空気を駆動源として作動するようにした釘打機は、釘打機内に釘を打撃するドライバを一体に結合したピストンを摺動自在に収容したシリンダが配置されている。該シリンダの下方には前記ピストンに結合されたドライバを摺動自在に案内するノーズ部が形成され、前記ドライバはノーズ部に形成されている射出口内に収容されて摺動案内されている。並列して多数の釘が連結された連結釘を装填するための直鞘状に形成されたマガジンが前記ノーズ部の後方側に連続して設けられており、マガジン内に装填された連結釘はマガジン内に設けられているプッシャにより連結釘の後端から押圧付勢され、これにより連結釘の先頭の釘がノーズ部の射出口内へ供給されるように構成されている。
【０００３】
従来の釘打機では、図９に示すように、ノーズ部３０にはマガジン３１内に装填された連結釘Ｎをノーズ部３０に形成された射出口３２内へ導入するための開口３３が形成されており、この開口３３からマガジン３１内で後端方向からプッシャ３４によって押圧付勢された連結釘Ｎの先頭の釘Ｎが射出口３２内へ供給される。ところで、マガジン３１内への釘の装填は前記プッシャ３４をマガジン３１の後端方向へスライド移動させて直鞘状のマガジン３１の後部へ新しい連結釘を装填し、その後で再度プッシャ３４を装填した連結釘Ｎの後端部へ押圧付勢させるようにすることにより行われる。
【０００４】
通常の場合には、マガジン３１内に装填されている釘を全て打ち込みした後、すなわちマガジン３１内が空になったときに上記連結釘の装填操作を行うものであるが、釘打ちの作業の都合によってはマガジン３１内にある程度の釘が残された状態で新たな連結釘を補充装填したり、又は、マガジン３１内の釘が無くなったと誤って判断しりして装填操作を行うことがある。結果的にマガジン３１への連結釘の装填操作はマガジン３１内の釘の残り本数にかかわらず任意の時に行われてしまう。マガジン３１内に釘Ｎが１本だけ残された状態で釘の装填操作を行った場合に、装填操作を行うときの釘打機の向きによってこの釘Ｎがマガジン３１内で傾斜して釘頭がノーズ部３０の射出口３２内で下方向に向いてしまう反転現象が発生する。
【０００５】
図９に示すように、釘打機を駆動部を上にしてマガジン３１部を下に向けた状態で連結釘Ｎの装填操作を行うと、最後から２本目の釘の打ち込みが終了した状態では最後の１本の釘Ｎはプッシャ３４によって射出口３２内に供給された状態で射出口３２内に保持されているが、装填操作のためプッシャ３４をマガジン３１の後端方向に後退させると、上記プッシャ３４による押圧保持が無くなるので、釘Ｎの拡径されている頭部Ｎ１はマガジン３１内へ進入できないが、軸部の先端Ｎ２側がマガジン３１内へ進入して釘Ｎが釘頭Ｎ１を中心として回転して釘軸が傾斜した状態となってしまうことがあった。
【０００６】
この状態から新しい連結釘Ｎをマガジン３１へ装填するために釘打機を横向きに配置すると、ノーズ部３０の先端側が下方向に向けられるので、釘Ｎの頭部Ｎ１が射出口３２の内を先端方向に移動し、釘の軸部に付着して残っている連結帯Ｎ３がマガジン３１内の釘軸用のガイド壁３１ａに引っかかって釘軸が連結帯Ｎ３の部分を中心として回転して図１０に示すように釘頭Ｎ１が釘先端Ｎ２より下になるように傾斜した姿勢になる。この状態で新しい連結釘Ｎをマガジン３１の後部に装填して、プッシャ３４により連結釘Ｎを射出口３２に向けて押圧させると傾斜した釘の先端Ｎ２部が上方に向けて回転されて、図１０の鎖線で示すようにノーズ部３０の射出口３２内で先頭の釘Ｎが反転した状態になってしまう。
【０００７】
【発明が解決しようとする課題】
上記のように釘が射出口３２内で逆転した状態でドライバを駆動して釘打ちを行うと、ドライバと射出口の内壁面との間に逆転した釘の先端部が挟まってしまい、釘詰まりが発生し、更にドライバを破損するか又はノーズを破壊してしまう問題が発生していた。本発明は上記従来技術における問題点を解決して、マガジン内に釘が１本残された状態で新しい連結釘の装填操作しても、ノーズ部の射出口内で釘が逆向きになってしまうことが無く、釘詰まりやドライバ及びノーズ部の破損等を防止することのできる釘打機における釘の傾倒防止機構を提供することを課題とする。
【０００８】
【課題を解決するための手段】
本発明の釘打機における釘の傾倒防止機構は、圧縮空気等により駆動されるドライバを摺動自在に案内する射出口が形成されたノーズ部と、連結帯により直状に連結された連結釘を収容する直鞘状のマガジンを前記ノーズ部に連接して設け、該マガジン内の連結釘をノーズ部に形成した開口を経由してノーズ部の射出口内へ供給し、射出口内に供給された釘を前記ドライバにより射出口から打ち出すようにした釘打機において、前記ノーズ部の釘射出口とマガジン内とを連続させる開口に沿って形成された供給ガイド面上に磁石を配置し、該磁石により射出口内に残った釘の釘軸の長さの中心から先端側の釘軸部を吸着保持させて、釘軸の先端側部分がマガジン内へ進入するのを阻止させるようにしたことを特徴とする。
【０００９】
【発明の実施の形態】
以下、図面に示す実施例に基づいて本発明の実施態様を説明する。図１は本発明の釘打機における釘の傾倒防止機構を実施した釘打機であり、釘打機１はボディ２内にピストンＰと該ピストンＰを収容したシリンダＣとからなる駆動部が収容されており、駆動部のシリンダＣ内に圧縮空気供給源から供給された圧縮空気を導入することによりピストンＰを駆動して、該ピストンＰの下面に結合されたドライバＤにより釘を打撃するようにされている。圧縮空気はボディ２の後方に形成されたグリップ部３内に形成されたエアチャンバ内に貯留されており、グリップ部３の基部に設けられているトリガ機構４の操作により前記シリンダＣ内に導入されるようにされている。前記ボディ２の下方には前記ドライバＤを摺動自在に案内する射出口が形成されたノーズ部５が連結されており、前記ピストンＰが駆動されることによってドライバＤが射出口内を駆動されて射出口内に配置された釘を射出口の先端方向に打ち出すようにされている。
【００１０】
前記ノーズ部５には多数の釘を並列状態で軸部同士をプラスチック材又は紙材等からなる連結帯によって連結した連結釘Ｎを収容するための直鞘状に形成されたマガジン６が連設されており、該マガジン６内にノーズ部５方向へ向けてバネ付勢されて配置されているプッシャ７により連結釘Ｎをノーズ部５方向へ押圧させて連結釘の先頭の釘Ｎをノーズ部５の射出口内へ供給する。図２に示すように、ノーズ部５にはドライバＤを摺動自在に案内する中空の射出口８が形成されており、該射出口８の後方側にはマガジン６内の釘Ｎを射出口８内へ導入させるための開口９が形成されており、この開口９の一側面と連続して後方側に伸びている固定ガイド１０が形成され、この固定ガイド１０の内側面がマガジン６から釘を射出口８へ誘導案内する供給ガイド面１１を形成している。前記固定ガイド１０と対向する側には射出口８の近くでノーズ部５に枢着支持されて開閉可能なドア部材１２が前記固定ガイド１０と所定間隔を隔てて対向するように設けられている。前記マガジン５の前端部が前記固定ガイド１０とドア部材１２の後方側の端面と突き合わせ状に連設され、マガジン５内の連結釘が固定ガイド１０とドア部材１２の間で誘導されて前記開口９から射出口８内へ供給される。
【００１１】
図３及び図４に示すように、前記ドア部材１２は、ノーズ部５に対して回動可能に支持されるとともに、マガジン６から射出口８へ釘を誘導案内する供給ガイド面１３とこの供給ガイド面１３と連続した射出口８の一部を形成している射出ガイド面１４が形成されており、該ドア部材１２が閉じられた状態では前記射出ガイド面１４が射出口８を画成するとともに供給ガイド面１３によってマガジン６から射出口８内へ釘を誘導させるガイド面を形成している。上記ドア部材１２が閉じられた位置ではドア部材１２に形成されているラッチ機構１５によりドア部材１２がノーズ部５に対し固定される。ノーズ部５の射出口８内での釘詰まり等が発生したときには、前記ラッチ機構１５を解除した後に図４に示すようにドア部材１２を回動させて、射出口８の一部と供給ガイド面１３を開放して射出口８内で詰まった釘の除去等の作業が容易にできるようにしている。
【００１２】
図１乃至図４に示すように、前記ドア部材１２によって形成されている供給ガイド面１３にはドア部材１２の供給ガイド面１３から背面側へ貫通した透孔１６が形成され、該透孔１６内にドア部材１２の供給ガイド面１３と同一面なるように供給ガイド面１３に露出された磁石１７が埋め込まれている。ノーズ部５は一般的に鉄系の磁性材料で構成されているため、磁石１７は真鍮やプラスチック材等の非磁性材料により形成された筒体１８内に収容されてノーズ部５に形成された透孔１６内に圧入又は接着等により固定されている。該磁石１７はマガジン６内から射出口８内へ供給される釘Ｎの軸方向長さの中心部から釘軸の先端側に対向するように配置されており、射出口８内に供給された釘Ｎの釘軸部の先端Ｎ２側を吸着保持して、釘軸の先端Ｎ２側がマガジン６内へ進入してしまうこと防止するように構成されている。
【００１３】
以下、図５乃至図７に基づいて本発明の実施例による釘装填操作を説明する。垂直な壁面への水平な方向への釘打ち込み又は、天井面への上向きの釘打ち時には、釘打機１のマガジン６の後端部が下に向いた姿勢で釘打ち作業が行われる。マガジン６内の最後から２番目の釘の打ち込みが終了した状態では、図５に示すように、マガジン６内に残った１本の釘Ｎはプッシャ７の押圧力によってノーズ部５の射出口８内に押圧供給され、プッシャ７の押圧力によって射出口８内に保持されている。
【００１４】
図６に示すように、連結釘Ｎを装填するためプッシャ７をマガジン６の後方側へスライド移動させると、ノーズ部５の射出口８内に供給されている釘Ｎは拡径された頭部Ｎ１側は射出口８内に引っかかって、釘軸の先端Ｎ２側がマガジン６内へ進入する方向に重力によって回転するが、釘の先端Ｎ２側の軸部が供給ガイド面１３に設けられている磁石１７の部分まで回転したところで、磁石１７によって軸部が吸着保持されて釘の先端Ｎ２がマガジン６内まで進入することが防止される。釘打機１をいかなる姿勢にしても図に示す角度以上に釘軸が傾斜することがない。
【００１５】
マガジン６の後部へ移動させたプッシャ７をマガジン６の後部で係止させ、マガジン６内の後部へ新しい連結釘Ｎを装填した後にプッシャ７の係止を解除させて、装填した連結釘Ｎの後端部からプッシャ７による押圧力を作用させると、図７に示すように、装填された連結釘Ｎがノーズ部５方向に移動して連結釘の最前端の釘がマガジン６内に残されていた釘Ｎと当接して該釘Ｎを射出口８内に押し込む。この際にやや傾斜していた釘Ｎの傾斜が矯正されて正しい姿勢で射出口８内に配置される。この状態で釘打機１を駆動させることにより、ドライバＤが釘Ｎの頭部Ｎ１を打撃して釘を射出口８内から打ち出す。
【００１６】
上記実施例では、マガジン６から釘Ｎを射出口８内へ誘導する供給ガイド面の一方がドア部材１２として構成された釘打機で、ドア部材１２に形成された供給ガイド面１３に磁石１７を取り付けて構成しているが、ドア部材１２と対向した固定ガイド１０の供給ガイド面１１に磁石１７を取り付けるようにしてもよい。又、本発明は開閉可能なドア部材１２が形成されておらず、ノーズ部５の開口９の両側に固定ガイド１０による供給ガイド面１１が形成された釘打機においても実施することが可能であり、この場合にも、固定ガイド１０の供給ガイド面１１の何れかに磁石１７を配置すればよい。更に磁石１７を取り付ける部分は、供給ガイド面に限らず例えば釘軸の先端部Ｎ２側に対応させた射出口８内に臨むように磁石１７を配置してもよい。いずれにしても、磁石１７によって釘Ｎの軸部の先端側を吸着保持して、釘軸の先端Ｎ２側が、マガジン６内の方向へ進入して釘軸が傾くのを阻止すれば足りる。
【００１７】
図８に示す実施例では、釘軸の長さ方向に沿って２つの磁石１７、１９を配置したものであり、このように供給ガイド面１３に釘軸に沿って複数の磁石１７、１８を配置することによって、軸長さが短く形成されたサイズの小さい釘Ｎを使用する場合であっても吸着保持することが可能であり、また軸長さの長い大きいサイズの釘の軸部を複数の磁石によって吸着保持させることができるので、釘軸の先端Ｎ２側が、マガジン６内へ進入して傾いてしまうのを確実に防止することができる。
【００１８】
【発明の効果】
上記にように、本発明の釘の傾倒防止機構によれば、射出口内に供給された釘の先端Ｎ２側の軸部を吸着保持する磁石１７を設け、釘の軸部先端側がマガジン内へ進入するのを防止させているので、釘の装填操作のためプッシャ７をマガジンの後方側へ移動させても、マガジン６内に残された釘Ｎの軸部がマガジン６内へ進入することによる釘軸の傾斜が防止でき、マガジン６内に１本だけ残された釘が装填時に反転されて射出口内へ配置されることが防止でき、射出口内での釘詰まりの発生やこれに伴うドライバやノーズ部の破損を防止することが可能である。
【図面の簡単な説明】
【図１】本発明の釘の傾倒防止機構を実施した釘打機の側面図
【図２】図１におけるＡ−Ａ線での断面図
【図３】図１と同じ釘打機のドア部材の側面図
【図４】ドア部材の開放状態を示す平断面図
【図５】図１の釘打機での最後の１本の釘が残された状態の断面図
【図６】図５の状態からプッシャを後方側へ移動させた状態の断面図
【図７】連結釘を装填して打ち込みの準備が整った状態の断面図
【図８】釘の傾倒防止機構の別の実施例による図６と同様な状態の断面図
【図９】従来の釘打機での釘の装填操作を行っている状態の断面図
【図１０】図８と同様に残された一本の釘が反転する状態を示す断面図
【符号の説明】
１　釘打機
５　ノーズ部
６　マガジン
７　プッシャ
８　射出口
９　開口
１０　固定ガイド
１１　供給ガイド面
１２　ドア部材
１３　供給ガイド面
１４　射出ガイド面
１５　ラッチ機構
１６　透孔
１７、１９　磁石
１８　筒体
【図１】
2004017219.tif 000003
【図２】
2004017219.tif 000004
【図３】
2004017219.tif 000005
【図４】
2004017219.tif 000006
【図５】
2004017219.tif 000007
【図６】
2004017219.tif 000008
【図７】
2004017219.tif 000009
【図８】
2004017219.tif 000010
【図９】
2004017219.tif 000011
【図１０】
2004017219.tif 000012